(57)【要約】【課題】電気部品の交換に際し、取っ手のような部品を追加することなく、しっかりと確実に把持可能な冷凍サイクル装置の室外機を提案する。【解決手段】室外機１の収納箱２６は、室外機１の底板７上に取付けられ、かつ電気部品２５の搭載面３１を有する基部３２と、基部３２に組み合わされて電気部品２５を覆い隠す箱状のカバー３３と、基部３２に設けられる切り欠き状の把持部３５、または基部３２もしくはカバー３３に設けられる凹没状の把持部３５と、を備えている。【選択図】  図２
2017166756.tif 000002
【特許請求の範囲】
【請求項１】
冷凍サイクル装置室外機の底板上に取付けられ、かつ電気部品の搭載面を有する基部と、
前記基部に組み合わされて前記電気部品を覆い隠す箱状のカバーと、
前記基部に設けられる切り欠き状の把持部、または前記基部もしくは前記カバーに設けられる凹没状の把持部と、を備える電気部品の収納箱を
設けた冷凍サイクル装置の室外機。
【請求項２】
前記電気部品は複数あって、前記搭載面に設けられる第一電気部品と、前記第一電気部品の上方に配置される第二電気部品と、を含み、
前記第一電気部品を前記搭載面に固定する締結部品を備え、
前記締結部品は、前記第二電気部品を避けて締め付けまたは緩めるために使用される工具が到達可能に配置されている請求項１に記載の冷凍サイクル装置の室外機。
【請求項３】
前記カバーは、前記第二電気部品を支える第一半体と、前記第一半体に組み合わされる着脱可能な第二半体と、を備え、
前記締結部品は、前記第二半体を開けば前記工具で締め付けまたは緩めることが可能になり、
前記第一電気部品は、前記締結部品が取り外されれば前記基部から前記第一半体を取り外すことなく、また前記第一半体から前記第二電気部品を取り外すことなく前記カバーに出し入れ可能な請求項２に記載の冷凍サイクル装置の室外機。
【請求項４】
前記第二半体は、前記第一半体に組み合わさって前記締結部品に前記工具を到達させる経路、および前記第一電気部品を出し入れする経路を塞いでいる請求項３に記載の冷凍サイクル装置の室外機。
【請求項５】
前記第二電気部品を前記第一半体に支持する部品台を備える請求項３または４に記載の冷凍サイクル装置の室外機。
【請求項６】
前記部品台は、前記第一電気部品の上方に配置され、
前記締結部品は、前記部品台を避けて前記工具が到達可能に配置されている請求項５に記載の冷凍サイクル装置の室外機。
【発明の詳細な説明】
【技術分野】
【０００１】
本発明に係る実施形態は、電子部品の収納箱を備えた冷凍サイクル装置の室外機に関する。
【背景技術】
【０００２】
従来の冷凍サイクル装置の室外機は、三相中性点トランスを収納する単純な直方体の収納箱を備えている。この収納箱は、圧縮機やインバータとともに機械室内に配置されている。
【先行技術文献】
【特許文献】
【０００３】
【特許文献１】特開２００７−６４５６１号公報
【発明の概要】
【発明が解決しようとする課題】
【０００４】
室外機内にトランス（変圧器）、リアクターのような電気部品を配置する場合、一般には、電気部品を収納箱に収納し、この収納箱を室外機の底板に設置する。
【０００５】
ところで、これら電気部品が故障するなどして交換する場合には、室外機から収納箱を取り出し、次いで収納箱を開いて電気部品を交換することになる。
【０００６】
このような場合に、従来のように単純な直方体の収納箱は、持ち運びに適さない。特に、トランス、リアクターのように比較的に重量の大きい電気部品を収納箱ごと持ち運ぶ場合には、収納箱がしっかりと確実に把持できることが望ましい。
【０００７】
ただし、取っ手のような部品を収納箱に追加することは、コストを抑制する観点から避けたい。
【０００８】
そこで、本発明は、電気部品の交換に際し、取っ手のような部品を追加することなく、しっかりと確実に把持可能な冷凍サイクル装置の室外機を提案する。
【課題を解決するための手段】
【０００９】
前記の課題を解決するため本発明の実施形態に係る冷凍サイクル装置の室外機は、冷凍サイクル装置の室外機内に設けられる電気部品の収納箱を備え、この収容箱は、前記室外機の底板に取付けられ、かつ前記電気部品の搭載面を有する箱状の基部と、前記基部に組み合わされて前記電気部品を覆い隠す箱状のカバーと、前記基部に設けられる切り欠き状の把持部、または前記基部もしくは前記カバーに設けられる凹没状の把持部と、を備えている。
【図面の簡単な説明】
【００１０】
【図１】本発明の実施形態に係る空気調和機の室外機の斜視図。
【図２】本発明の実施形態に係る室外機の収納箱の斜視図。
【図３】本発明の実施形態に係る室外機の収納箱の分解斜視図。
【図４】本発明の実施形態に係る室外機の収納箱の平面図。
【図５】本発明の実施形態に係る室外機の収納箱から電気部品を取り出した様子を示す斜視図。
【発明を実施するための形態】
【００１１】
本発明に係る冷凍サイクル装置の室外機の実施形態について、図１から図５を参照して説明する。
【００１２】
本実施形態に係る冷凍サイクル装置は、例えばビルや大型商業施設等に設置される空気調和機であり、複数の室外機、複数の室内機、および複数の室内機と複数の室外機とを接続する冷媒配管を備えている。本実施形態では、冷凍サイクル装置として空気調和機を例に説明するが、空気調和機に限らずヒートポンプ式給湯機、冷凍機、チリングユニットに適応しても良い。
【００１３】
図１は、本発明の実施形態に係る空気調和機の室外機の斜視図である。
【００１４】
図１に示すように、本実施形態に係る空気調和機の室外機１は、四角柱状の外観を有している。室外機１は、前後左右の側面を覆う４枚の側板５と、天井面を覆う天板６と、底面を覆う底板７と、を備えている。
【００１５】
側板５には、室外機１内に外気を吸い込む複数の吸入孔１０が設けられている。
【００１６】
天板６の中央部には、側板５の吸入孔から室外機１内に吸い込まれた外気を、再び室外機１の外に排気するための円形の排気孔が設けられている。天板６には、排気孔に繋がる円筒状のベルマウス１１が設けられている。
【００１７】
室外機１の内部は、仕切板（図示省略）によって上下に分割されている。仕切板と底板７との間には機械室１５が区画され、仕切板と天板６との間には熱交換室１６が区画されている。
【００１８】
底板７の四隅それぞれの近傍には、上下方向に延びるフレーム１７が設けられている。これら４つのフレーム１７は、機械室１５を囲むように配置され、仕切板を支えている。
【００１９】
底板７下面の前端部近傍には、実質的に室外機１の全幅に渡って前側脚部１８が設けられている。また、底板７下面の後端部近傍には、実質的に室外機１の全幅に渡って後側脚部１９が設けられている。
【００２０】
前側脚部１８、および後側脚部１９には、室外機１の外側に向けて略直角に折れ曲がって延びるフランジ部２１が設けられている。フランジ部２１は、アンカーボルト等の固定具（図示省略）で室外機１の設置面に固定され、室外機１を支えている。
【００２１】
機械室１５内には、圧縮機２２、アキュームレータ２３、および圧縮機２２とアキュームレータ２３とを接続する冷媒配管（図示省略）、室外機１内の冷媒配管の末端に相当する配管接続部（図示省略）、圧縮機２２や室外ファン２８等を駆動制御するための制御ユニット２０、および電気部品２５の収納箱２６が収納されている。
【００２２】
圧縮機２２、およびアキュームレータ２３は、空気調和機の冷凍サイクルを構成する主要な部品である。圧縮機２２、およびアキュームレータ２３は、底板７上に設置されている。
【００２３】
収納箱２６は、電気部品２５として例えばトランス（変圧器）、リアクターを収納している。収納箱２６は、底板７上に設置されている。
【００２４】
なお、電気部品２５は、いわゆる電力機器を含む。
【００２５】
一方、熱交換室１６には、室外熱交換器２７、および室外ファン２８が収納されている。
【００２６】
室外熱交換器２７は、互いに対向する一対のＬ字状のフィンチューブ型熱交換器を備えている。これら一対のＬ字状のフィンチューブ型熱交換器は、室外熱交換器２７全体で四角柱状に配置されている。
【００２７】
側板５の吸入孔１０は、室外熱交換器２７の外側面に対向し、熱交換室１６に外気を導入する。
【００２８】
天板６の排気孔は、前後左右の四方を室外熱交換器２７に囲まれる空間、つまり室外熱交換器２７の内側の空間を臨んでいる。
【００２９】
室外ファン２８は、天板６の排気孔を通じて室外熱交換器２７の内側の空間から空気を吸い込み、ベルマウス１１から排気する。
【００３０】
次に、電気部品２５の収納箱２６について詳細に説明する。
【００３１】
図２は、本発明の実施形態に係る室外機の収納箱の斜視図である。
【００３２】
図３は、本発明の実施形態に係る室外機の収納箱の分解斜視図である。
【００３３】
図４は、本発明の実施形態に係る室外機の収納箱の平面図である。
【００３４】
図５は、本発明の実施形態に係る室外機の収納箱から電気部品を取り出した様子を示す斜視図である。
【００３５】
なお、図２および図３は、カバー半体を開放した状態で図示されている。
【００３６】
図２から図４に示すように、本実施形態に係る室外機１の収納箱２６は、全体として直方体状の外観を有している。
【００３７】
収納箱２６は、室外機１の底板７に設けられ、かつ電気部品２５の搭載面３１を有する箱状の基部３２と、基部３２に組み合わされて電気部品２５を覆い隠す箱状のカバー３３と、基部３２に設けられる切り欠き状の把持部３５と、を備えている。
【００３８】
また、収納箱２６は、電気部品２５を搭載面３１に固定する締結部品３６ａを備えている。
【００３９】
さらに、収納箱２６は、電気部品２５をカバー３３に支持する部品台３７を備えている。
【００４０】
電気部品２５は複数あって、基部３２の搭載面３１に設けられる第一電気部品３８と、第一電気部品３８の上方に配置される第二電気部品３９と、を含んでいる。
【００４１】
第一電気部品３８は、トランス、リアクター、またはクリーンコンバータである。本実施形態では、トランスを例示している。トランスは、例えば４００Ｖの交流電圧を２００Ｖの交流電圧に変換する。第一電気部品３８は、平面視において基部３２の搭載面３１の大部分を占め、側面視において基部３２と部品台３７との間に配置されている。
【００４２】
第二電気部品３９は、例えば端子台である。第二電気部品３９は、第一電気部品３８と収納箱２６の外側に延びる電線４１とを中継し、接続している。
【００４３】
第二電気部品３９は、第一電気部品３８への入力系統を中継する入力側端子台４２と、第一電気部品３８からの出力系統を中継する出力側端子台４３と、を含んでいる。入力側端子台４２と出力側端子台４３とは、部品台３７の上面に並んで配置されている。
【００４４】
基部３２は、それぞれ矩形な天井壁と前後左右の側壁とを有し、上下方向に扁平な直方体の箱体である。底壁は、あっても良いし、なくても良い。基部３２は、１枚の金属薄板から板金加工で成形される一体型である。
【００４５】
基部３２の天井壁は、搭載面３１に相当する。基部３２の前後左右の側壁は、室外機１の底板７に収納箱２６を支える脚部に相当するフランジ部４４を備えている。また、左右の側壁には、把持部３５としての切り欠き状の貫通孔４５が設けられている。貫通孔４５の縁、つまり把持部３５の縁は、左右の側壁から基部３２の内側に折り曲げられたフランジ部４６が適宜に設けられている。これらフランジ部４６は、把持部３５の持ち易さを向上させ、かつ把持部３５に手指を差し入れる際に板金の角（エッジ）から手指を保護している。
【００４６】
カバー３３は、基部３２の上方に覆い被さり、収納箱２６全体として直方体状の外観を整えている。
【００４７】
カバー３３は、第二電気部品３９を支えるカバー第一半体４７と、カバー第一半体４７に組み合わされる着脱可能なカバー第二半体４８と、を備えている。
【００４８】
カバー第一半体４７は、１枚の金属薄板から板金加工で成形される一体型である。カバー第一半体４７は、電気部品２５を収納する箱内空間４９を画定する左右の側壁および後ろ（背面）の側壁を有している。カバー第一半体４７の左右の側壁の上縁部、前縁部、および後ろの側壁の上縁部には、収納箱２６の内側に折れ曲がるフランジ部５１が設けられている。これらフランジ部５１は、カバー第二半体４８をカバー第一半体４７に組み合わせると、カバー第二半体４８の内面に接して箱内空間４９を閉じる。
【００４９】
左右の側壁の下縁部には、基部３２の切り欠き、つまり把持部３５に適合する適宜の形状の切り欠きが設けられている。
【００５０】
カバー第一半体４７は、左右の側壁および後ろの側壁の複数の箇所で基部３２に締結部品３６ｂで固定されている。
【００５１】
カバー第二半体４８は、１枚の金属薄板から板金加工で成形される一体型である。カバー第二半体４８は、箱内空間４９を画定する天井壁および前（正面）の側壁を有している。
【００５２】
天井壁の左右の縁部、後ろ縁部、および前の側壁の左右の縁部には、カバー第一半体４７の外面に覆い被さるフランジ部５２が設けられている。これらフランジ部５２は、カバー第二半体４８をカバー第一半体４７に組み合わせると、カバー第一半体４７の外面に接して箱内空間４９を閉じる。
【００５３】
カバー第二半体４８は、天井壁の後ろ縁部のフランジ部５２と、前の側壁の複数の箇所でカバー第一半体４７に締結部品３６ｃで固定されている。
【００５４】
把持部３５は、基部３２の左右の側壁に一対設けられている。つまり、作業者は、収納箱２６の左右それぞれの側方からそれぞれの把持部３５へ手指を差し入れて収納箱２６を持ち運ぶことができる。
【００５５】
把持部３５は、カバー３３に設けられる凹没状のものであっても良いし（図２中に破線で示す把持部３５）、切り欠きに代えて基部３２に設けられる凹没状のものであっても良い。換言すると、収納箱２６は、基部３２に設けられる切り欠き状の把持部３５、または基部３２もしくはカバー３３に設けられる凹没状の把持部３５を備えていれば良い。把持部３５として基部３２の貫通孔４５を設ける場合には、基部３２の天井壁によって収納箱２６の箱内空間４９を閉じておくことができる一方で、カバー３３に貫通孔を設けてしまうと、収納箱２６の箱内空間４９に水分が侵入する虞が生じる。そこで、カバー３３に把持部３５を設ける場合には、カバー３３の側壁、具体的にはカバー第一半体４７の左右の側壁の一部を窪ませ、これを把持部３５にする。これにより、把持部３５は、収納箱２６の箱内空間４９を閉じた空間にしておくことができる。
【００５６】
なお、切り欠き状、および凹没状のいずれであっても、把持部３５は、手指を差し入れることが可能な適宜の幅寸法と深さ寸法を有していることが好ましい。
【００５７】
部品台３７は、カバー３３の左右の側壁、つまりカバー第一半体４７の左右の側壁に架設されている。部品台３７は、第一電気部品３８の直上に適宜の隙間を隔てて配置されている。
【００５８】
部品台３７は、カバー第一半体４７の左右の側壁の外側から締結部品３６ｄで固定されている。部品台３７の幅寸法（収納箱２６の前後方向における寸法）は、収納箱２６の奥行き寸法よりも小さい。換言すると、部品台３７の前側（正面側）および後ろ側（背面側）には、収納箱２６の上方から搭載面３１（基部３２の天井面）を見通すことができる隙間が隔てられている。
【００５９】
部品台３７は、第二電気部品３９をカバー第一半体４７に支持している。具体的には、部品台３７は、入力側端子台４２および出力側端子台４３をカバー第一半体４７に支持している。入力側端子台４２および出力側端子台４３は、部品台３７の上面に設けられ、左右に並べられている。
【００６０】
本実施形態に係る収納箱２６において第一電気部品３８または第二電気部品３９の交換が必要になった場合には、使用者は、室外機１の底板７に収納箱２６を固定している締結部品（図示省略）を緩めて取り外す。次いで、使用者は、手指を把持部３５に差し入れ、収納箱２６を室外機１の外へ持ち出す。
【００６１】
次いで、収納箱２６の平面図（図４）に着目する。
【００６２】
図４に示すように、本実施形態に係る収納箱２６の締結部品３６ａは、第一電気部品３８を搭載面３１に固定している。締結部品３６ａは、第一電気部品３８の四隅に設けられる孔５３を通じて基部３２の搭載面３１のねじ穴５５に締め付けられている。
【００６３】
締結部品３６ａは、第二電気部品３９および部品台３７を避けて締め付けまたは緩めるために使用される工具Ｔが到達可能に配置されている。換言すると、締結部品３６ａは、収納箱２６の平面視において部品台３７に重ならず、部品台３７の前側および後ろ側に隔てられ、収納箱２６の上方から搭載面３１を見通すことができる隙間の真下に配置されている。したがって、締結部品３６ａは、カバー第二半体４８を開けば工具Ｔで締め付けまたは緩めることが可能になる。
【００６４】
また、カバー第二半体４８を開けば収納箱２６の正面が開放され、かつ第一電気部品３８と部品台３７との間には隙間が隔てられているため、第一電気部品３８は、締結部品３６ａが取り外されれば基部３２からカバー第一半体４７を取り外すことなく、またカバー第一半体４７から部品台３７および第二電気部品３９を取り外すことなく出し入れすることができる。
【００６５】
換言すると、カバー第二半体４８は、カバー第一半体４７に組み合わさって締結部品３６ａに工具Ｔを到達させる経路、および第一電気部品３８をカバー３３に出し入れする経路を塞いでいる。
【００６６】
また、収納箱２６は、第二電気部品３９を部品台３７に固定する締結部品３６ｅを備えている。
【００６７】
締結部品３６ｅは、入力側端子台４２および出力側端子台４３それぞれの対向する二隅に設けられる孔５６を通じて部品台３７のねじ穴５７に締め付けられている。
【００６８】
カバー第二半体４８を開けば収納箱２６の天井面が開放されるため、入力側端子台４２および出力側端子台４３は、締結部品３６ｅが取り外されれば基部３２からカバー第一半体４７を取り外すことなく、また基部３２から第一電気部品３８を取り外すことなく出し入れすることができる。
【００６９】
本実施形態に係る収納箱２６において第一電気部品３８の交換が必要になった場合には、使用者は、先ずカバー３３のカバー第二半体４８をカバー第一半体４７に固定している締結部品３６ｃを緩めて取り外し、次いでカバー第二半体４８をカバー第一半体４７から取り外して収納箱２６を開く（図２）。そうすると、第一電気部品３８を搭載面３１に固定している締結部品３６ａ、および第二電気部品３９を部品台３７に固定している締結部品３６ｅが、収納箱２６の上方から見通すことができるようになる。次いで、使用者は、収納箱２６の上方から工具Ｔを差し込んで、第一電気部品３８から入力側端子台４２および出力側端子台４３のそれぞれに繋がる電線３８ａ、３８ｂをそれぞれの端子台４２、４３から取り外す。この後、使用者は、収納箱２６の上方から部品台３７の前側および後ろ側の隙間を通じて工具Ｔを差し込み、締結部品３６ａを緩めて取り外す。そして、使用者は、第一電気部品３８を収納箱２６の前方へ移動させ、収納箱２６から取り出す（図５）。
【００７０】
交換用の第一電気部品３８は、逆の手順で収納箱２６内に取り付けられる。
【００７１】
また、本実施形態に係る収納箱２６において第二電気部品３９の交換が必要になった場合には、使用者は、先ずカバー３３のカバー第二半体４８をカバー第一半体４７に固定している締結部品３６ｃを緩めて取り外し、次いでカバー第二半体４８をカバー第一半体４７から取り外して収納箱２６を開く（図２）。そうすると、第一電気部品３８を搭載面３１に固定している締結部品３６ａ、および第二電気部品３９を部品台３７に固定している締結部品３６ｅが、収納箱２６の上方から見通すことができるようになる。次いで、使用者は、収納箱２６の上方から工具Ｔを差し込んで、入力側端子台４２および出力側端子台４３のそれぞれから第一電気部品３８に繋がる電線をそれぞれの端子台４２、４３から取り外す。この後、使用者は、収納箱２６の上方から工具Ｔを差し込み、締結部品３６ｅを緩めて取り外す。そして、使用者は、第二電気部品３９を収納箱２６の上方へ移動させ、収納箱２６から取り出す。
【００７２】
交換用の第二電気部品３９は、逆の手順で収納箱２６内に取り付けられる。
【００７３】
なお、締結部品３６ａ、３６ｂ、３６ｃ、３６ｄ、３６ｅは、例えばねじであり、これらを締め付けまたは緩めるために使用される工具Ｔは、例えばねじ回し（プラスドライバー、マイナスドライバー、およびボックスドライバーなどのドライバー）である。
【００７４】
このように構成される本実施形態に係る室外機１の収納箱２６は、基部３２に設けられる切り欠き状の把持部３５、または基部３２もしくはカバー３３に設けられる凹没状の把持部３５を備えることによって、取っ手のような部品を追加することなくコストを抑制し、かつ確実に把持して持ち運ぶことができる。
【００７５】
また、本実施形態に係る室外機１の収納箱２６は、基部３２に設けられる切り欠き状の把持部３５、または基部３２もしくはカバー３３に設けられる凹没状の把持部３５を備えることによって、取っ手のような部品が周囲の邪魔になることがなく、またより狭い場所でも把持部３５に手指を掛けやすい。
【００７６】
また、本実施形態に係る室外機１の収納箱２６は、確実に把持して持ち運ぶことができるため、電気部品２５の交換作業の作業性を高めることができる。
【００７７】
さらに、本実施形態に係る室外機１の収納箱２６は、電気部品２５よりも下方に把持部３５を設けることができるので、持ち運ぶ際の安定性も高い。
【００７８】
さらにまた、本実施形態に係る室外機１の収納箱２６は、第一電気部品３８および第二電気部品３９を上下に重ねて配置し、かつ第二電気部品３９を避けて第一電気部品３８を搭載面３１に固定している締結部品３６ａを締め付けまたは緩めることができるので、収納箱２６全体を分解したり、第二電気部品３９を取り外したりすることなく、第一電気部品３８を単独で交換することが可能であって、かつ収納箱２６の設置面積を最小限に抑えることができる。
【００７９】
また、本実施形態に係る室外機１の収納箱２６は、第一電気部品３８および第二電気部品３９を上下に重ねて配置し、かつ部品台３７を避けて第一電気部品３８を搭載面３１に固定している締結部品３６ａを締め付けまたは緩めることができるので、収納箱２６全体を分解したり、第二電気部品３９を取り外したりすることなく、第一電気部品３８を単独で交換することが可能であって、かつ収納箱２６の設置面積を最小限に抑えることができる。
【００８０】
したがって、本実施形態に係る空気調和機の室外機１によれば、電気部品の交換に際し、取っ手のような部品を追加することなく、しっかりと確実に把持することができる。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１…室外機、５…側板、６…天板、７…底板、１１…ベルマウス、１５…機械室、１６…熱交換室、１７…フレーム、１８…前側脚部、１９…後側脚部、２１…フランジ部、２２…圧縮機、２３…アキュームレータ、２５…電気部品、２６…収納箱、２７…室外熱交換器、２８…室外ファン、３１…搭載面、３２…基部、３３…カバー、３５…把持部、３６ａ、３６ｂ、３６ｃ、３６ｄ、３６ｅ…締結部品、３７…部品台、３８…第一電気部品、３８ａ、３８ｂ…電線、３９…第二電気部品、４１…電線、４２…入力側端子台、４３…出力側端子台、４５…貫通孔、４６…フランジ部、４７…カバー第一半体、４８…カバー第二半体、４９…箱内空間、５１、５２…フランジ部、５３、５６…孔、５５、５７…ねじ穴。
【図１】
2017166756.tif 000003
【図２】
2017166756.tif 000004
【図３】
2017166756.tif 000005
【図４】
2017166756.tif 000006
【図５】
2017166756.tif 000007